(57)【要約】【課題】  従来、着物を着るときは、複数本のひもを用いていた。この複数本のひもを結ぶのは非常に手間がかかると共に、結ばれたひもの結び目が腹部を圧迫し、体に違和感を与えていた。【解決手段】  アンダーバスト接触部、左固定部、右固定部を有する長襦袢用着付けベルト、及びアンダーバスト接触部、左固定部、右固定部を有する着物用着付けベルトを用い、体の腹部にひもの結び目を作らないようにする。また、帯固定具を用いることで、容易に帯を巻くことができる。【選択図】  図５  
2005240226.tif 000002
【特許請求の範囲】
【請求項１】
着物の帯を体に結ぶときの帯の形を保持するための帯固定具において、
該帯固定具は保形部と帯枕を保持するための取付手段とを有し、
該保形部を略逆三角形状に形成し、
該取付手段を弾性体で形成したことを特徴とする帯固定具。
【請求項２】
長襦袢を体に固定するための腰ひもの代わりに用いる長襦袢用着付けベルトにおいて、
該長襦袢ベルトにアンダーバスト接触部、左固定部、右固定部を設け、
該アンダーバスト接触部、左固定部、及び右固定部のそれぞれに固定部材を設け、
該アンダーバスト接触部と該左固定部との間、及び該アンダーバスト接触部と該右固定部との間に弾性部を設けたことを特徴とする長襦袢用着付けベルト。
【請求項３】
着物を体に固定するための腰ひも、伊達締め及び前板の代りに用いる着物用着付けベルトにおいて、
該着物ベルトにアンダーバスト接触部、左固定部、右固定部を設け、
該アンダーバスト接触部、左固定部、及び右固定部のそれぞれに固定部材を設け、該アンダーバスト接触部と該左固定部との間、及び該アンダーバスト接触部と該右固定部との間に弾性部を設け、
該アンダーバスト接触部の長手方向と直角方向の幅を、該左固定部及び該右固定部の長手方向と直角方向の幅より短くし、
該左固定部及び該右固定部に補強部材を設けたことを特徴とする着物用着付けベルト。
【請求項４】
前記着付けベルト及び前記帯固定具を含む着物着付け用具において、
請求項１乃至３を含むことを特徴とする着物着付け用具。
【発明の詳細な説明】
【技術分野】
【０００１】
本願発明は、着物を着る際の着付けベルト及び帯固定具に関する。
【背景技術】
【０００２】
一般的着物を着るときには、図８に示すように、着物を着る前に長襦袢１を着るが、長襦袢１を着るとき及び着物３を着るときには複数本の腰ひも等が必要である。長襦袢１を着るときは、長襦袢１を着た後に腰ひも５１を締め、この腰ひも５１の上から伊達締め５２を締めるというように合計２回締める作業が必要である。また、この長襦袢１を着た上から着物３を着るときは、着物３を着た後にから揚げ用腰ひも５３を締め、はしょりを整えてからまた腰ひも５４を締め、この腰ひも５４の上からさらに伊達締め５５を締め、そしてまたその上からは帯を付けた際に見栄えがよくなるように前板５６を締めるというように合計４回締める作業が必要である。このように帯を付ける前までには着崩れを起こさないように、入念な下準備が必要であった。また、着物３に帯を付けるときには、着物３を着た後、帯を体の腰部に巻き付けて背中で帯を結び、帯山を作り最後に帯締めで帯を固定するという手順になっている。また、前記腰ひも等の締め付け及び帯の締め付けとは別に、後姿を美しく見せるには、帯山の作り方が重要になっている。しかし、一人で帯山を作るには慣れやコツが必要となり、時には複数の人で一人の人の帯山を作ることもあった。このような、手間のかかる作業を解消するために、通常、帯枕を用いて帯山を形作るが、これでもなお、後姿が美しく見える帯山を作るのは大変難しかった。そこで、帯山を帯用保形具を用いて作ることが考案されていた（例えば、特許文献１参照。）。
【特許文献１】特開２００１−２００４１４号公報
【発明の開示】
【発明が解決しようとする課題】
【０００３】
しかしながら、この帯山保形具は帯枕に支持板を取付ける構成になっており、帯を付けるまでの準備が複雑である。また、帯枕などを腹（胴）部に結ぶという作業が必要になってくる。本願発明はこのような複雑な作業を必要とせず、帯固定具を用いることで、着物の着付けを容易に出来ると共に、腰ひも等の結び目をなくし、体への負担を軽減することを目的としている。
【課題を解決するための手段】
【０００４】
上記課題を解決するため、本願発明の着物着付け用具は、着物の帯を体に結ぶときの帯の形を保持するための帯固定具において、該帯固定具は保形部と帯枕を保持するための取付手段とを有し、該保形部を略逆三角形状に形成し、該取付手段を弾性体で形成したことで、帯枕に簡単に取付けることができる。
【０００５】
また、長襦袢を体に固定するための腰ひもの代わりに用いる長襦袢用着付けベルトにおいて、該長襦袢ベルトにアンダーバスト接触部、左固定部、右固定部を設け、該アンダーバスト接触部、左固定部、及び右固定部のそれぞれに固定部材を設け、該アンダーバスト接触部と該左固定部との間、及び該アンダーバスト接触部と該右固定部との間に弾性部を設けたことで、容易に長襦袢を着られるのと共に、立ったり座ったりした際の体の姿勢変化に適応することができ、体に与える力（圧迫）を軽減することができる。
【０００６】
また、着物を体に固定するための腰ひも、伊達締め及び前板の代りに用いる着物用着付けベルトにおいて、該着物ベルトにアンダーバスト接触部、左固定部、右固定部を設け、該アンダーバスト接触部、左固定部、及び右固定部のそれぞれに固定部材を設け、該アンダーバスト接触部と該左固定部との間、及び該アンダーバスト接触部と該右固定部との間に弾性部を設け、該アンダーバスト接触部の長手方向と直角方向の幅を、該左固定部及び該右固定部の長手方向と直角方向の幅より短くし、該左固定部及び該右固定部に補強部材を設けたことで、帯を上から締付けた際に帯に皺がよるのを防ぐことができる。
【０００７】
また、前記着付けベルト及び前記帯固定具を含む着物着付け用具において、前記帯固定具、前記長襦袢用着付けベルト、前記着物用着付けベルトを含むことで、さらに容易に着物を着ることができる。
【発明の効果】
【０００８】
着物の着付けを体にやさしく容易に出来ると共に、容易に太鼓を形成することができる。
【発明を実施するための最良の形態】
【０００９】
本願発明の一実施形態を、図面を参照しつつ説明する。
【００１０】
図１は、本願発明の実施例にかかる着物を着る手順を示す図である。
【００１１】
図１に示すように、長襦袢１を着る場合、この長襦袢１に袖を通した後、胸を深く合わせ、衿を整えて長襦袢用着付けベルト（以下、「長襦袢ベルト」という。）２をアンダーバスト（胸と胴の間）に固定部材４８（マジックテープ等）で固定する。その後、着物３に袖を通した後、腹（胴）部を整えてから揚げベルト４を腰（胴）部に巻き、腹部に固定部材４０、４１（マジックテープ等）で固定する。そして、着物３のはしょり５を整えた後、着物用着付けベルト６（以下、「着物ベルト」という。）を腰（胴）部に巻き、腹（胴）部に固定部材４９で固定（マジックテープ等）する（図１−２参照）。
【００１２】
ここで「着付けベルト」とは、結ぶことなく腹（胴）部またはアンダーバスト部に固定することができる着物用のベルトのことである。
【００１３】
このように、長襦袢１に長襦袢ベルト２、着物３にから揚げベルト４及び着物ベルト６を用いることで、体に固定するための紐による結び目などが無くなり、腹（胴）部への結び目による不快感が解消される。また、前記着付けベルトに固定部材を用いているので、容易に着付けベルトを固定することができる。そして、ここまでの着付けベルトの上にさらに帯を付けていくが、ここまでの準備が終わって初めて帯を着物に付けることができる。
【００１４】
図２は、本願発明の実施例にかかる帯を付ける手順を示す図であり、（ａ）〜（ｇ）は体に帯を付ける前の準備の手順を示す図、（ｈ）〜（ｍ）は体に帯を付けるときの手順を示す図である。
【００１５】
着物への帯の取付手順は、図２−１（ａ）〜（ｇ）の体に帯を付ける前の準備の手順と、図２−２（ｈ）〜（ｍ）の体に帯を付けるときの手順とに分けられる。図２−１（ａ）〜（ｇ）に示すように、体に帯を付ける前の準備の手順は、ベルト付帯枕７（帯枕）に帯揚げ８を被せ、この一体となった物の下面に後述する帯固定具９を取付手段１０（ゴム等）で取付ける。このベルト付帯枕７と帯揚げ８と帯固定具９とを有する物を、約９０°に折り曲げた帯１１（帯の中心で２つ折りにし、約９０°に折り曲げる）に帯固定具９を先端部９ａから差し込み、帯１１の第１タレ部１２を、ベルト付帯枕７を覆うように下方へ折り返し、第１タレ部１２と帯１１の第２タレ部１３とが垂直になるように整えた後、この折り返された第１タレ部１２のベルト付帯枕７下側近傍の左右両側にクリップ１５で仮止めする。この前準備が完了した状態の帯１１を準備済帯１６として、体の背部に取付ける。
【００１６】
図２−２（ｈ）〜（ｍ）に示すように、体に帯を付けるときの手順は、前記準備済帯１６を着物３の背部に押し当て、ベルト付帯枕７のベルトを体の前側で固定し、第２タレ部１３を体の右側、前側、左側、後側（折り返しされた第１タレ部１２と体の間）の順に一周した後、再び右側、前側まで巻いていく（図２−２（ｈ）、（ｉ））。そして、この前側にある２周目の第２タレ部１３と、１周目の第２タレ部１３とをクリップ１７で上部を固定し、仮りひも１８を帯の下側の位置に結ぶ（腰部は第１タレ部１２と体の間を通す（図２−２（ｋ）参照））。この仮りひも１８は、腰部の第１タレ部１２の下側折返し部１９となり、仮りひも１８と体との間に第１タレ部１２を折り返して通すことで、下側折返し部１９が仮ひも１８に沿って整えられることになる（図２−２（ｋ）参照）。そして、第１タレ部１２の先端を帯の下側に僅かに残して、余った帯は二つ折りになった状態で仮りひも１８の体側を通り、前記１周目の第２タレ部１３の体側に収容される（図２−２（ｋ）参照）。そして、クリップ１７を帯から取外した後、第２タレ部１３を第１タレ部１２（太鼓部）の方に戻すように折込み２０を形成し、第１タレ部１２の体側と折込み２０を形成する第２タレ部１３の後側との間に帯締め２１を通し、前側で帯締め２１を結び、仮りひも１８をはづし、帯揚げ８を整えれば着物の着付けが完了する。このような方法で着物の着付けをするためには、以下に示す道具が必要になる。
【００１７】
図３は、本願発明の実施例にかかる長襦袢ベルト２を示す図であり、（ａ）は全体斜視図、（ｂ）は展開平面図である。
【００１８】
図３（ａ）に示すように、長襦袢ベルト２は取付けの際、長襦袢１に２周回して取付けられている。図３（ｂ）に示すように、長襦袢ベルト２は、アンダーバスト接触部２２と、左固定部２３と、右固定部２４とを有しており、それぞれ固体部材４８（マジックテープ等）が長襦袢ベルト２の長手方向に取付けられ、押付けただけで固定できるように構成されている。また、アンダーバスト接触部２２と左固定部２３との間、及びアンダーバスト接触部２２と右固定部２４との間には弾性部（シャーリング等）２５、２６が設けられており、自由に締付け状態を変更することができると共に、アンダーバストを曲げたときに腹（胴）部にかかる締付け力を緩和することができる。また、前記のようにこの長襦袢ベルト２の他にも数回にわたってベルトまたは帯等を巻いていくので、ベルトまたは帯等からの締付け力に対して腹（胴）部に違和感が生じないように、アンダーバスト接触部２２にはある程度の幅（幅は約５ｃｍ）を有している。ここで、従来、長襦袢用ベルト２の代りに腰ひもが用いられてきたが、腰ひもを用いると結び目ができ、結び目の位置によって体に違和感を有することがあった。しかし、この長襦袢ベルト２を用いることで、取付易く、体に違和感を与えないようにすることができるようになった。
【００１９】
図４は、本願発明の実施例にかかる着物ベルト６を示す図であり、（ａ）は全体斜視図、（ｂ）は展開平面図である。
【００２０】
図４に示すように、着物ベルト６は、前記長襦袢ベルト２と同様に、取付けの際、着物３に２周回して取付けられている。図４（ｂ）に示すように、着物ベルト６は、アンダーバスト接触部２７と、左固定部２８と、右固定部２９とを有しており、それぞれに固体部材４９（マジックテープ等）が着物ベルト６の長手方向に取付けられ、押付けただけで固定できるように構成されている。また、アンダーバスト接触部２７と左固定部２８との間、及びアンダーバスト接触部２７と右固定部２９との間には弾性部（シャーリング等）３０、３１が設けられており、自由に腰（胴）部の締付け状態を変更することができると共に、腰を曲げたとき等の姿勢変化時に、腹部にかかる締付け力を緩和することができる。そして、前記のように、着物ベルト６の上から帯を巻いた際、着物ベルト６の幅が細いことによる帯１１の皺発生を防止するために、左固定部２８及び右固定部２９にはある程度の幅及び長さ（それぞれ幅約１２ｃｍ、長さ約２３ｃｍ）を設けられていると共に、それぞれに補強部材５０（前板等）が設けられている。また、アンダーバスト接触部２７の幅長くすると、腹（胴）部に違和感を有するので、アンダーバスト接触部２７の長手方向と直角方向の幅を、左固定部２８及び右固定部２９の長手方向と直角方向の幅より短くすることで、体に違和感がなく着心地を良くすると共に、帯１１の皺発生を防止することができる。
【００２１】
図５は、本願発明の実施例にかかる着物の帯固定具の図であり、（ａ）は全体斜視図、（ｂ）は平面図である。
【００２２】
図５に示すように、帯固定具９は保形部３３と取付手段１０とを有しており、この保形部３３は略逆三角形状をしている。この保形部３３の両辺にあたる左辺３４及び右辺３５は、その成す角が９０°（垂直上方からθ１＝θ２＝４５°）となるように形成されている。また、この保形部３３の底辺（紙面上側）は波打ったような形状をしており、帯固定具９の上辺３６とベルト付き帯枕７の下辺７ａとが合うように形成されている（図２−１（ｄ）参照）。そして、帯固定具９をベルト付き帯枕７に取付ける際は、取付手段１０の端部に設けられた取付具３７に、取付手段１０の他端部１０ａをベルト付き帯枕７へ囲み込むようにして引掛ける（取付具３７の左端部３７ａ及び右端部３７ｂに引掛ける）。このように構成することで、帯固定具９をベルト付き帯枕７に固定するときにベルト付き帯枕７の長手方向にずれないようにすることができる。また、取付手段１０は弾性体（ゴム等）を用いているので、取付具３７に引掛けても引張力が生じ、はずれ難くなっていると共に、帯固定具９をベルト付き帯枕７に容易に（ボルトなどを使わない）取付けることができる。
【００２３】
図６は、本願発明の実施例にかかる着物のから揚げベルト４の図であり、（ａ）は全体斜視図、（ｂ）は平面図である。
【００２４】
図６に示すように、から揚げベルト４にはベルト本体３８、取付部３９、及び固定部材４０、４１（マジックテープ等）が設けられている。この取付部３９はベルト本体３８の端部に形成されており、ベルト本体３８の他端を挿入することができるようになっている。また、ベルト３８の前記他端近傍には固定部材４１が形成され、から揚げベルト４の固定時に固定部材４１と取付部３９との間に設けられた固定部材４０が係合できるように、表裏同じ面のベルト本体３８に設けられている。
【００２５】
図７は、本願発明の実施例にかかる着物のベルト付帯枕７の図であり、（ａ）は全体斜視図、（ｂ）は平面図である。
【００２６】
図７に示すように、ベルト付帯枕７には帯枕本体４２、左ベルト部４３、右ベルト部４４が設けられている。この左ベルト部４３には調整具４５が設けられており、左ベルト部４３の長さを調整することができる。また、右ベルト部４４の端部には固定部材４６（マジックテープ等）が設けられており、これと左ベルト部４３の端部に設けられた固定部材４７（マジックテープ等）とで係合させることで、体の腹（胴）部にベルト付帯枕７を固定することができるように構成されている。そして、左ベルト部４３、及び右ベルト部４４に弾性体（シャーリング等）を有することで、姿勢を変化させても、体に対する圧迫力を軽減させ、違和感を減少させることができる。
【００２７】
上述のように、着物の着付け時に着付けベルトを用いることで、ひも等を結ぶ作業をすることなく、着物の着付けを行うことができるので、誰でも容易に着物を着ることができる。また、帯固定具を用いることで、容易に太鼓（帯を結んだときの背中部分）を形成することができる。また、上述の着付けベルトは、長襦袢ベルト２、着物ベルト６のみを示すものではなく、から揚げベルト４、ベルト付帯枕７等をも含むものである。
【産業上の利用可能性】
【００２８】
着付けベルト及び帯固定具を着物の着付け時に利用することができる。
【図面の簡単な説明】
【００２９】
【図１−１】本願発明の実施例にかかる着物を着る前の長襦袢１を着る手順を示す図であり、（ａ）〜（ｂ）はその手順を示す図である。
【図１−２】本願発明の実施例にかかる着物を着る手順を示す図であり、（ｃ）〜（ｅ）はその手順を示す図である。
【図２−１】本願発明の実施例にかかる帯を付ける手順を示す図であり、（ａ）〜（ｇ）は体に帯を付ける前の帯の準備の手順を示す図である。
【図２−２】本願発明の実施例にかかる帯を付ける手順を示す図であり、（ｈ）〜（ｍ）は体に帯を付けるときの手順を示す図である。
【図３】本願発明の実施例にかかる着物の長襦袢ベルト２を示す図であり、（ａ）は全体斜視図、（ｂ）は展開平面図である。
【図４】本願発明の実施例にかかる着物ベルト６を示す図であり、（ａ）は全体斜視図、（ｂ）は展開平面図である。
【図５】本願発明の実施例にかかる着物の帯固定具９の図であり、（ａ）は全体斜視図、（ｂ）は平面図である。
【図６】本願発明の実施例にかかる着物のから揚げベルトの図であり、（ａ）は全体斜視図、（ｂ）は平面図である。
【図７】本願発明の実施例にかかる着物のベルト付帯枕の図であり、（ａ）は全体斜視図、（ｂ）は平面図である。
【図８−１】従来の着物を着る前の長襦袢１を着る手順を示す図であり、（ａ）〜（ｃ）はその手順を示す図である。
【図８−２】従来の着物を着る手順を示す図であり、（ｄ）〜（ｆ）はその手順を示す図である。
【図８−３】従来の着物を着る手順を示す図であり、（ｇ）〜（ｈ）はその手順を示す図である。
【符号の説明】
【００３０】
１  長襦袢  
２  長襦袢ベルト  
３  着物
４  から揚げベルト
６  着物ベルト  
７  ベルト付帯枕
８  帯揚げ
９  帯固定具
１０  取付手段
１１  帯
１２  第１タレ部
１３  第２タレ部
１５、１７  クリップ
１８  仮ひも
２１  帯締め
２２、２７  アンダーバスト接触部
２３、２８  左固定部
２４、２９  右固定部
３２  調整手段
【図１−１】
2005240226.tif 000003
【図１−２】
2005240226.tif 000004
【図２−１】
2005240226.tif 000005
【図２−２】
2005240226.tif 000006
【図３】
2005240226.tif 000007
【図４】
2005240226.tif 000008
【図５】
2005240226.tif 000009
【図６】
2005240226.tif 000010
【図７】
2005240226.tif 000011
【図８−１】
2005240226.tif 000012
【図８−２】
2005240226.tif 000013
【図８−３】
2005240226.tif 000014